(57)【特許請求の範囲】
【請求項１】
ガイドレールと、
前記ガイドレールを支持する支持部と、
前記ガイドレールに取り付けられ、前記ガイドレールの長手方向に沿って前後方に
往復動可能であり、使用者が着座可能な椅子と、
前記椅子に配備されて使用者が前記椅子から離脱することを防止する安全ベルトと、
前記支持部の左側面および右側面に設けられて、前記使用者が前記椅子に着座するときに前記使用者の足が位置する足踏み板と、
前記足踏み板に配備されて前記使用者の足が前記足踏み板から離脱することを防止する固定ベルトと、
使用者が両手で把持可能な棒状のハンドルであって、修復力が作用している部材に接続されており、且つ所定の位置に配置されているハンドルを、当該使用者が、当該使用者の胸部に向けて所定の引張力で、手前に引き出し、その後、当該引張力が解除されると、当該修復力により元の位置まで戻る様に構成されているハンドルと、
サ一ボモーターおよび前記サ一ボモーターの回転を制御可能な制御装置を有する往復動手段と、を備え、
前記サ一ボモーターが回転または逆転することにより 前記椅子が前記ガイドレールの長手方向に沿って前後方に自動的に往動可能になり、
前記ハンドルは、前記制御装置と連結され、前記椅子の往復動の開始および終了を制御可能なスイッチ、前記椅子の往復動の速度を調節可能なスイッチ、および前記椅子の往復動の往復距離を調節可能なスイッチを有して、前記制御装置が前記サ一ボモーターの回転方向、回転速度、および回転数を制御できるよぅに前記制御装置に指令を伝えるための制御パネルを有し、
前記椅子は背もたれ部を有し、前記背もたれ部は、所定の位置に復元する弾性力が付勢されており、使用者の力を受けたときに後方に反り返るとともに、前記力が除去されたときに、前記所定の位置まで復元することを特徴とする下半身麻痺障害者用のローイングマシン運動補助装置。
【請求項２】
前記往復動手段は、規則的な凹凸が形成された帯状のベルトおよび前記ベルトと係合されて前記ベルトを循環させるプーリーをさらに有し、前記ベルトは、前記サーボモーターおよび前記プーリーと係合されて前記サーボモーターが回転するにつれて前記ベルトも回転し、
前記椅子は、前記椅子の底面に連結され、前記ベルトに形成された凹凸と係合される形状に凹凸が形成されて、前記ベルトの回転または逆転につれて前記椅子を前記ガイドレールの長手方向に沿って前後方に往復動させる係合部をさらに有することを特徴とする請求項１に記載のローイングマシン運動補助装置。
【請求項３】
前記往復動手段は、チェーンおよび前記チェーンと係合されて前記チェーンを循環させるスプロケットをさらに有し、前記チェーンは、前記サーボモーターおよび前記スプロケットと係合されて前記サーボモーターが回転するにつれて前記チェーンも回転し、
前記椅子は、前記椅子の底面に連結され、前記チェーンの上に規則的に配列された隙間の間に嵌入されて係合されるように突出された突起形状が規則的な間隔にて形成されて、前記チェーンが回転または逆転することにより前記椅子を前記ガイドレールの長手方向に沿って前後方に往復動させる係合部をさらに有することを特徴とする請求項１に記載のローイングマシン運動補助装置。
【請求項４】
前記往復動手段は、前記サーボモーターと連結されて回転するディスク状であり、その周縁部に円周方向に規則的な間隔にて突起が形成された円形ギア、および直線の帯状であり、前記円形ギアと係合されるように突起が形成されて前記円形ギアの回転運動を直線運動に切り換える直線形ギアをさらに有し、
前記直線形ギアは、前記椅子の底面と結合されて、前記椅子の底面と前記円形ギアとの間に配設され、前記円形ギアが回転および逆転することにより前記椅子を前記ガイドレールの長手方向に沿って前後方に往復動させることを特徴とする請求項１に記載のローイングマシン運動補助装置。
【請求項５】
前記往復動手段は、前記支持部の内部に配設されることを特徴とする請求項２から４のいずれかに記載のローイングマシン運動補助装置。
【発明の詳細な説明】
【技術分野】
【０００１】
本発明は運動補助装置に係り、さらに詳しくは、ローイングマシン(ボート漕ぎ運動のマシン)の構成要素の一つである前後方に自動的に往復動可能な椅子を備えたローイングマシン運動補助装置に関する。
【背景技術】
【０００２】
ローイングマシンは、短時間に多量のエネルギーを消耗可能な全身運動器具であり、水上において行われる漕艇競技の櫓を漕ぐ動作に着目して製作されており、室内においてボートを漕ぐリズムと感じをそのまま伝えることができる。ステッパーやランニングマシンなど下体中心の運動並みの強度を有し、且つ、全身運動を行うことができて効果的である。座ったままで運動をするため、膝部に無理な力が加わらないことも特徴である。モニター付きローイングマシンの場合には、モニターおよび記憶装置を通じて運動結果などを記録・保存することができ、運動状態をリアルタイムにてモニターすることができる。ローイングマシンは、ヨーロッパー、豪州、日本などによく知られており、一部の製品の場合に、他国の人々とインターネットを介して接続されて、オンラインレースが可能であり、退屈ではないというメリットがある。なお、騒音がなく、軽量であるため、室内外のどこでも場所に拘ることなく運動を行うことができるというメリットがある。
【０００３】
韓国内においても、運動選手の訓練を目的に多用され、上述したように、座ったままで運動をするため、進退に無理な力が加わることがなく、医療目的のリハビリ運動器具としても使われている。
【０００４】
ローイングマシンの作動方法を説明すれば、使用者がローイングマシン本体に連結されたレールの上に前後方に往復動可能な椅子に座った後、足踏み板に足を載せた後、両手でハンドル(把持部)を掴む。足踏み板に置かれた足に力を加えるとともに、背と腰を後方に裏返しつつ、つまり、背と腰を後方に反り返らせながら、背と肩の力でハンドルを使用者の胸部に向かって引っ張る。このとき、膝が伸びつつ両足が真っすぐに伸び、往復動可能な椅子はレールの後方に移動することとなる。
引っ張った後に数秒間停止して筋肉が十分に収縮された後、背と肩の力を抜くと、ハンドルが元の位置に戻ろうとする修復力が働いてハンドルが元の位置に戻ることとなる。ハンドルが元の位置に戻るとともに、使用者の背と腰がローイングマシン本体が位置している前方にうつむき、椅子もまた前方に移動して、使用者の膝がおのずと曲げられて、ローイング運動の初期の状態に戻ることとなる。前記動作を繰り返し行うことで、全身運動効果が得られる。
【０００５】
上述したようにして運動を繰り返し行うことにより、背と肩および下体の筋肉が発達し、全身有酸素運動の効果があり、訓練目的の専門的な運動選手だけではなく、不意の事故などによる障害者のリハビリのためにも活用される。
【０００６】
上述した目的の他に、障害者のうち、特に下半身が麻痺されて下体を動かすことができない人もこの運動器具を活用することができる。下半身麻痺状態の場合、膝を自分の意地の通りに曲げることができないため、ほとんどの場合、膝が伸びた状態で生活をすることとなる。この場合、膝などの特定の関節部位にカルシウムが積もるが、その状態で長期間が経過する場合に積もったカルシウムがそのまま硬くなって関節の動きを妨げ、酷い場合には、非正常的な個所に新たな骨の欠片が生成されてしまう。
このような症状を異所性骨化症(Ｈｅｔｅｒｏｔｏｐｉｃ  Ｏｓｓｉｆｉｃａｔｉｏｎ)と呼ぶ。異所性骨化症とは、組織への酸素輸送量が不足となり、結締組織、軟部組織の微細な損傷などに起因して、結締組織や軟部組織に骨化現象が生じることをいい、上述したように、脊椎が損傷されて下半身麻痺の障害者によく現れ、股関節にもっとも頻発し、膝の関節部位にも頻発する。このため、病院などでは、手作業で下半身麻痺患者の膝を強制的に曲げたり伸ばしたりする治療を行っている。
【発明の概要】
【発明が解決しようとする課題】
【０００７】
従来のローイングマシンに取り付けられた椅子は、使用者が膝を曲げた状態で足踏み板に力を加えて膝を伸ばしつつハンドルを引っ張るような運動法しか行うことができなかった。このため、リハビリ目的および医療目的の患者がローイングマシンを利用する場合、下半身を用いて足踏み板に足で力を加えられる人しか正常に運動効果を得ることができなかった。
【０００８】
脊椎損傷患者のうち、特に、下半身麻痺患者もリハビリ目的で病院および家庭などでローイングマシンを使用するが、下半身を動かすことができないため、上半身、特に腕の力でハンドルを引っ張ってから離す過程を繰り返すことに留まり、全身運動ではなく、上半身、特に、腕の運動しか行うことができず、他の腕運動器具とは大差ない。
【０００９】
また、リハビリ目的であるとしても、単に腕運動を繰り返すことにより、患者の集中度、関心度、および興味が減少して絶え間ない運動による効果が得られ難い。特に、櫓を漕ぐ動作に着目したローイングマシンならではの活動的な感じを有することができない。よって、下半身麻痺患者は、ローイングマシンが有する卓越した全身運動効果およびローイングマシンならではの活動感を経験し難い。
【００１０】
また、下半身は固定された状態で上半身だけで運動をするため、下半身麻痺患者によく現れる異所性骨化症を予防する効果もあまり得られず、上述したように、介護人が自ら患者の膝を曲げたり伸ばしたりする作業を行うことを余儀なくされる。
【課題を解決するための手段】
【００１１】
本発明は、上述した従来のローイングマシンの短所に着目してなされたものであり、脊椎損傷患者のうち、特に、下半身麻痺患者にローイングマシン運動の効果的な全身運動効果を経験させるとともに、櫓を漕ぐような活動感を感じさせるように、ローイングマシンの椅子を自動的に往復動可能に製作した。
【００１２】
すなわち、ローイングマシンに配備された支持部の内部に往復動手段としてのタイミングベルト、チェーン、またはラックギアおよびピニオンギアを備えて、前記往復動手段を介してレールに沿って椅子が一定の速力にて前後方に往復動するようにする。往復動のリズムに合わせてリハビリ患者がハンドルを掴んで引っ張ると、リハビリ患者、特に、下半身麻痺患者も下半身を動かし得る一般人が感じる櫓を漕ぐような感じを有することができる。
【００１３】
本発明の一例として、往復動手段としてのタイミングベルトを使用する場合、モーターの回転につれてベルトが回転し、これに伴い、ベルトに固定された椅子が前方または後方(ローイングマシンが置かれた地面と並ぶような方向)に移動する。モーターの回転方向に応じて椅子の移動方向が決定される。すなわち、モーターの回転方向が逆方向に切り替わると、椅子は逆方向に移動する。前記モーターは、短時間内に正回転および逆転を繰り返さねばならないため、回転速度および回転方向を正確に制御できるように制御装置付きサーボモーターが主として使われ、特に、無整流子電動機は、基本的な駆動回路の電流断続時期の時間(位相差)をずらすだけで、速度とトルクを簡単に調節することができ、機械的な摩擦によって磨耗されて寿命に影響を与える整流子とブラシを使用しないため、その寿命が半永久的に長く、騒音も少ないため、本発明の往復動手段としてのモーターとしての使用に最適である。
【００１４】
他の例において、往復動手段としてチェーンを使用することもできる。前記モーターの回転につれてチェーンが回転し、これに伴い、チェーンに固定された椅子が前方または後方に移動する。上述した実施の形態と同様に、モーターの回転方向(正回転／逆転)に応じて椅子の移動方向が決定される。
【００１５】
さらに他の例において、往復動手段としてラックギアとピニオンギアが噛合して作動するものを用いて、椅子を前後方に移動させることができる。すなわち、モーターの回転につれて、モーター軸に連結されたピニオンギアが回転し、この回転に伴い、ピニオンギアに噛合したラックギアが直線運動を行うこととなる。このため、ラックギアに固定された椅子も一緒に直線運動をすることとなる。上述した実施の形態と同様に、モーターの回転方向に応じて椅子の移動方向が決定される。
【００１６】
上述した往復動手段によって、リハビリ患者が上体、特に、腕の筋肉だけで腕運動を繰り返す単純な運動形態から外れて、一般人と同様に櫓を漕ぐような活動感を感じることができる。
【００１７】
さらに、リハビリ患者が足踏み板に足を載せるだけで、前後方に所定の距離を往復動する椅子によって、自動的に膝が曲がったり伸びたりする。
【００１８】
以下、本発明についてのより具体的な説明は、実施形態の欄において詳述する。
【発明の効果】
【００１９】
本発明は、ローイングマシンの椅子を前後方に自動的に往復動可能にする往復動手段を備えることにより、脊椎損傷患者、特に、下半身麻痺患者がリハビリおよび治療の目的でローイング運動を行うに当たって、櫓を漕ぐような活動感を感じることができるので、患者の集中度、関心度、および興味が増大される。よって、リハビリ患者が絶え間なくローイング運動をする上で卓越した効果がある。
【００２０】
また、従来の上体、特に腕筋肉を使って運動する方法の他に、自動的に往復動可能な椅子によって、下半身麻痺患者の下体まで運動効果が伝達されて、ローイングマシンの全身運動効果が得られる。加えて、周期的に膝が自動的に曲がったり伸びたりして、膝にカルシウムが積もって膝関節が硬くなる異所性骨化症を予防することができる。
【図面の簡単な説明】
【００２１】
【図１】図１は、従来のローイングマシンを用いてローイング運動を行う過程のうち、力を加える前の初期状態を示す図である。
【図２】図２は、従来のローイングマシンを用いてローイング運動を行う過程のうち、力を加えてハンドルを身体に向かって引っ張った状態を示す図である。
【図３】図３は、本発明の実施形態によるローイングマシンの構成要素のうち、支持部を示す部分斜視図である。
【図４】図４は、本発明の実施形態によるローイングマシンのハンドルを示す図である。
【図５】図５は、本発明の実施形態によるローイングマシンの支持部を構成する往復動手段を示す側断面図である。
【図６】図６は、本発明の他の実施形態によるローイングマシンの支持部を構成する往復動手段を示す側断面図である。
【図７】図７は、本発明のさらに他の実施形態によるローイングマシンの支持部を構成する往復動手段を示す側断面図である。
【発明を実施するための形態】
【００２２】
以下、添付図面に基づき、本発明の実施形態について説明する。図中、同じ構成要素には同じ部材番号が付されている。
【００２３】
まず、図１は、従来のローイングマシンを利用する方法を示す図であり、使用者がハンドルを掴んで身体を前方にうつむけた様子、および両手でハンドルを掴んで力を加えて、身体を後方に裏返しつつ、つまり身体を後方に反り返らせながら、ハンドルを使用者の胸部に引っ張った後の様子を示す図である。
上述したように、ローイングマシンは、専門的な運動選手の訓練を目的に多用され、座ったままで運動をするため、身体に無理な力が加わることがなく、医療目的のリハビリ運動器具としても使われる。通常の従来のローイングマシンの作動方法は、図１に示す初期状態（Ａ）と運動状態（Ｂ）を繰り返し循環することとなる。
【００２４】
しかしながら、上述したように、脊椎損傷患者のうち、特に下半身麻痺患者の場合には、従来のローイングマシンを用いるとしても、足で足踏み板に力を加えて椅子を後方に移動させることにより、脚を伸ばすとともに、ハンドルを引っ張る動作を行うことができないため、主として足を地面に当てて、図２に示すように、上体、特に、両腕の力だけでハンドルを引っ張ることとなる。このため、全身運動器具であるローイングマシンを腕運動器具としてしか活用することができず、一般人がローイング運動を介して感じる櫓を漕ぐような活動感を感じることができない。このため、単純に繰り返される腕運動によって、下体の運動効果が全く得られず、患者の集中度、関心度、および興味が減らざるを得ない。
【００２５】
これを解消するために、図３に示すように、本発明の実施形態によるローイングマシン運動補助装置は、支持部１０および支持部１０の上に配される自動的に往復動可能な椅子２０を備える。支持部１０は、上部面に、椅子２０が前後方に往復動可能な薄い板材状のガイドレール１１を有する。ガイドレール１１は、支持部１０の長手方向と垂直な方向の幅よりも広く、長手方向に中心部にスロットが形成されている。また、支持部１０は、左側面と右側面に、使用者の両足を支持できるように、支持部１０から左右側に遠ざかる方向に突き出る板状の足踏み板１２が配備されている。より好ましくは、足踏み板は、使用者が足を楽に載せるように、使用者から遠ざかる方向に所定の角度だけ裏返されて、つまり、そり返されて、斜めに設けられてもよい。支持部１０は、全体的に四角柱が地面に横たわれているような形状に示されているが、直線状のガイドレール１１および足踏み板１２が配備できる限り、支持部１０の形状は、柱状のいかなる形状であってもよい。支持部１０は中空であり、後述する往復動手段４０、５０、６０は、支持部１０の内部に配設されてもよい。
【００２６】
使用者の足が載せられる足踏み板１２の片面には、運動中に使用者の足が足踏み板１２から離脱することを防ぐために、使用者の足を足踏み板１２に密着固定する固定ベルト図示せず)がさらに配備されてもよい。
【００２７】
ガイドレール１１の上には、前後方に自動的に往復動可能な椅子２０が取り付けられている。好ましくは、椅子２０は、ガイドレール１１に取り付けられる移動部２１、板状を呈し、使用者が実際に着座する着座部２２、および使用者が着座するときに背をもたれかける背もたれ部２３を備えていてもよく、着座部２２と背もたれ部２３とはバネなどの弾性力を有する弾性部材２４により連結されて、背をもたれかけるときに、所定の角度だけ後方に背もたれ部２３が裏返されて（つまり、そり返されて）もよい。好ましくは、移動部２１は、直接的にガイドレール１１と当接している。図示はしないが、好ましくは、移動部２１の底面には、係合部（図５から図７参照）が備配されてもよいが、係合部は、好ましくは、ガイドレール１１の内部に備配されたベルトなどの往復動手段４０、５０、６０と係合されて前後方に移動することができ、移動部２１と連結された係合部が前後方に移動することにより、移動部２１を有する椅子２０もまた、ガイドレール１１が伸びているレールの上において前後方に動くことが可能になる。往復動手段は、様々な形態で構成可能であり、この詳細については後述する。
【００２８】
本発明によるローイングマシン運動補助装置の使用者は、主として下半身麻痺患者であるため、椅子２０が前後方に往復動をすることにより、ともすればバランスが崩れて椅子から離脱する場合に怪我をする虞があるため、椅子２０に安全ベルト図示せず)をさらに設けて、往復動中に使用者がローイングマシンから離脱することを防止することができる。
【００２９】
また、本発明によるローイングマシン運動補助装置は、好ましくは、自動往復動の制御装置付きハンドル３０をさらに有してもよい。ハンドル３０の外観は、通常のローイングマシンのハンドルと同様に、直線または曲線の棒状を呈してもよく、使用者が両手で掴める形状である限り、他の形状であっても構わない。使用者は、両手でハンドル３０を掴んで自分の胸部にハンドル３０を引っ張るようにして運動を繰り返し行う。このとき、上述したように、本発明の実施形態によるローイングマシン運動補助装置は、自動的に往復動可能な椅子２０を有することにより、ガイドレール１１に沿って椅子２０が所定の速力にて前後方に動くこととなる。足踏み板１２に足を載せた状態で、椅子２０が使用者の前方に動くと、自然に使用者の膝が曲がり、逆に、椅子２０が使用者の後方に動くと、自然に使用者の膝に伸びることとなる。
【００３０】
このため、使用者は、椅子２０の前後方の動きに合わせてハンドル３０を引っ張ることにより、下半身を自由に動かし得る一般人と同様に、ローイングマシンの特徴である櫓を漕ぐような実体感、活動感および力動性を感じることが可能となる。また、従来の上体、特に、腕筋肉を使って運動する方法の他に、自動的に往復動可能な椅子２０によって、下半身麻痺患者の下体まで運動効果が伝達されて、ローイングマシンの全身運動効果が得られる。加えて、周期的に膝が自動的に曲がったり伸びたりして、膝にカルシウムが積もって膝関節が硬くなる異所性骨化症を予防することができる。
【００３１】
図４は、本発明の実施形態によるローイングマシン運動補助装置のハンドル３０の詳細図である。下半身を自由に動かせない使用者に手軽に椅子２０の往復動を制御せしめるための制御パネルがハンドル３０に取り付けられてもよいが、必ずしもハンドル３０に取り付けられる必要はなく、必要に応じて、別途の個所に制御パネルが取り付けられてもよく、有線若しくは無線の形で備配されてもよい。より具体的に、ハンドル３０の内部に取り付けられた制御パネルは、往復動の開始および終了を制御可能なオン／オフスイッチ３１、往復動の速度を調節可能な速度調節スイッチ３２、および往復動の往復距離を調節可能な距離調節スイッチ３３を備える。各スイッチの配置は、図４に示す配置と異なっていても構わなく、必要に応じて、機能スイッチをさらに付設してもよい。
距離調節スイッチ３３は、往復距離を調節することができるが、往復距離とは、前後方にガイドレール１１に沿って往復動する椅子２０の最大移動範囲のことを言う。すなわち、往復距離が大きく設定されれば、椅子２０は、前後方に広い範囲に亘って往復動し、往復距離が小さく設定されれば、椅子２０は、前後方に狭い範囲に亘って往復動する。このため、使用者の腕の長さおよび脚の長さを考慮して、椅子２０の往復距離を設定することとなる。
【００３２】
下半身麻痺患者も、上記のスイッチ３１〜３３付きハンドル３０のスイッチを押すような行為を容易に行うことができるため、自動的に往復動可能なローイングマシン運動補助装置の椅子２０を容易に制御することができる。
【００３３】
以下、図５から図７に基づき、本発明によるローイングマシン運動補助装置の椅子２０を自動的に往復動可能にする往復動手段４０、５０、６０について説明する。往復動手段４０、５０、６０は、支持部１０の内部の空き空間に配設されてもよいが、支持部１０の外部の任意の個所に配設されてもよい。
【００３４】
図５に示すように、本発明の実施形態によるローイングマシン運動補助装置の支持部１０の内部に備配可能な往復動手段４０として、タイミングベルト４１が用いられても良い。タイミングベルト４１は、規則的な凹凸が形成された帯状のベルトである。往復動手段４０としてタイミングベルト４１を使用する場合、モーター４２の回転につれてベルト４１が回転し、これに伴い、好ましくは、ベルト４１に固定された移動部２１の係合部２５が前方または後方(ローイングマシンが置かれた地面と並ぶような方向)に移動することができる。好ましくは、タイミングベルト４１に形成された凹凸部４３と、係合部２５の底面に形成された凹凸部とが係合されて、モーター４２によって回転するタイミングベルト４１によって椅子２０が前後方に移動することができる。係合部２５の形状には制限がなく、上述したように、底面に凹凸部が形成されて、タイミングベルト４１と係合される形状であればよい。なお、好ましくは、係合部２５は、移動部２１の突出部の一部であり、移動部２１と一体に形成されてもよく、また、好ましくは、直接的にガイドレール１１に備配されたスロットを貫通して椅子２０の着座部２２の底面と直接的に連結されてもよい。
【００３５】
さらに、タイミングベルト４１をモーターによって循環させるために、本発明の実施形態によるローイングマシン運動補助装置は、好ましくは、図面上においてモーター４２の向こう側にベルト４１を受け渡してさらにモーター４２に戻すプーリーが備配されてもよい。このため、モーター４２とプーリーの二つの軸を中心としてベルト４１が回転することとなる。前記プーリーの種類および形状には特に制限がなく、ベルト４１に係合されて回転可能である限り、いかなる種類のプーリーであってもよい。
【００３６】
要するに、モーター４２の回転方向に応じて、好ましくは、移動部２１および係合部２５の移動方向が決定され、移動部２１の移動方向に応じて、前記移動部２１と一体に連結された椅子２０の移動方向が決定される。なお、モーター４２の回転速度およびタイミングベルトの移動距離に応じて、それぞれ椅子２０の往復速度および往復距離が決定される。
【００３７】
すなわち、モーター４２の回転方向が逆方向に切り替わると、椅子２０は逆方向に移動することとなる。前記モーター４２には、短時間に正回転および逆転を繰り返さなければならないため、回転数、回転速度および回転方向を正確に制御できるように制御装置付きサーボモーターが主として用いられる。特に、無整流子電動機は、基本的な駆動回路の電流断続時期の時間(位相差)をずらすだけで、速度とトルクを簡単に調節することができ、機械的な摩擦によって磨耗されて寿命に影響を与える整流子とブラシを使用しないため、その寿命が半永久的に長く、騒音も少ないため、本発明の往復動手段４０の構成要素としてのモーター４２としての使用に最適である。
【００３８】
モーター４２には、上述したように、制御装置(図示せず)が取り付けられており、好ましくは、制御装置は、ハンドル３０に埋め込まれている制御パネルのスイッチ３１〜３３と連結されて、使用者がスイッチを押して送出する電気的な信号を受信して、信号に合わせてオン／オフ、往復速度、および往復距離を設定することができる。このように設定された値に基づいてモーター４２が作動して、椅子２０が往復動可能となる。
【００３９】
図６に示すように、本発明の他の実施形態によるローイングマシン運動補助装置の支持部１０内に備配可能な往復動手段５０として、チェーン５１が使用可能である。上述したように、往復動手段５０は、支持部１０の内部ではなく、他の個所に配設されてもよい。モーター５２は、前記モーター４２と構造、機能、およびハンドル３０の信号受信などの制御方法が同様であるため、その説明は省く。但し、この実施形態の場合には、ベルト４１の代わりにチェーン５１が循環する構造であるため、好ましくは、プーリーの代わりにチェーンスプロケットが使用可能である。
【００４０】
前記モーター５２の回転につれてチェーン５１が回転し、これにより、好ましくは、チェーン５１に固定された椅子２０の移動部２１および係合部２５が前方または後方に移動することとなる。好ましくは、移動部２１の係合部２５の底面には、図６に示すように、突き出た突起形状のチェーン挿入部が規則的な間隔にて形成されていてもよい。このため、好ましくは、チェーン挿入部がチェーン５１の上に規則的に配列された隙間の間に挿入されて、チェーン５１が回転することにより、チェーン５１と係合された係合部２５および移動部２１が動くことができ、これにより、椅子２０が移動することができる。好ましくは、係合部２５は、移動部２１の突出部の一部であり、移動部２１と一体に形成されてもよく、移動部２１とは別途の部材として、移動部２１と連結された形で備配されてもよい。
なお、直接的にガイドレール１１に備配されたスロットを貫通して椅子２０の着座部２２の底面と直接的に連結されてもよい。
【００４１】
さらに、上述した実施形態と同様に、モーター５２の回転方向(正回転／逆転)、回転速度、および回転数に応じて、椅子２０の移動方向、往復速度、および往復距離が決定される。
【００４２】
図７に示すように、本発明のさらに他の実施形態によるローイングマシン運動補助装置の支持部１０の内部に備配された往復動手段６０として、直線形ギアと円形ギアとが係合して作動する構造が用いられる。上述したように、往復動手段６０は、支持部１０の内部ではなく、他の個所に配設されてもよい。好ましくは、直線形ギアはラックギア６１であり、円形ギアは、好ましくは、ピニオンギア６３である。ラックギア６１は、直線の帯状であり、一方の側面に規則的に突起(歯車の歯)が形成されてもよく、ピニオンギア６３は、ディスク状であり、同様に、ディスクの周縁部に円周方向に規則的に突起(歯車の歯)が形成されてもよい。ラックギア６１の突起とピニオンギア６３の突起とは係合するように形成されてもよい。すなわち、ラックギア６１の突起がピニオンギア６３の突起間の溝に係合され、逆に、ピニオンギア６３の突起がラックギア６１の突起間の溝に係合されるような形状であってもよい。ピニオンギア６３と連結されてピニオンギア６３を回転させるモーター６２は、前記モーター４２と構造、機能、およびハンドル３０の信号受信などの制御方法が同様であるため、その説明は省く。
【００４３】
ラックギア６１は、好ましくは、椅子２０に備配された移動部２１の底面に備配されてもよく、椅子２０の着座部２２の底面に直接的に備配されてもよい。図７には、係合部２５の底面にラックギア６１が備配されていることが示してあるが、係合部２５がなく、直接的に移動部２１の底面にラックギア６１が配備されても構わない。ラックギア６１とピニオンギア６３とは係合されて作動し、具体的には、ピニオンギア６３の回転運動を伝達されて、ラックギア６１は直線運動をすることとなる。このため、上述した実施形態と同様に、モーター６２の回転方向(正回転／逆転)、回転速度、および回転数に応じてピニオンギア６３の回転が決定され、ピニオンギア６３の回転方向に応じてラックギア６１と連結された椅子２０の移動方向、往復速度、および往復距離が決定される。
【００４４】
以上、添付図面に基づき、本発明の実施形態について説明したが、本発明は前記実施形態に限定されるものではなく、本発明の範疇内において異なる様々な形態で製造可能であり、本発明が属する技術分野において通常の知識を持った者であれば、本発明の技術的思想や必須的な特徴を変更することなく、他の具体的な実施形態として実施可能であるということが理解できるであろう。よって、上述した実施形態は、あらゆる面において例示的なものであり、限定された形態に制限されるものではない。
【符号の説明】
【００４５】
１・・・ローイングマシン運動補助装置
１０・・・支持部
１１・・・ガイドレール
１２・・・足踏み板
２０・・・椅子
２１・・・移動部
２２・・・着座部
２３・・・背もたれ部
２４・・・弾性部材
２５・・・係合部
３０・・・ハンドル
３１・・・オン／オフスイッチ
３２・・・速度調節スイッチ
３３・・・距離調節スイッチ
４０、５０、６０・・・往復動手段
４１・・・タイミングベルト
４２・・・モーター
４３・・・凹凸部
５１・・・チェーン
５２・・・モーター
６１・・・直線形ギアはラックギア
６２・・・モーター
６３・・・ピニオンギア
【図１】
0005604452.tif 000002
【図２】
0005604452.tif 000003
【図３】
0005604452.tif 000004
【図４】
0005604452.tif 000005
【図５】
0005604452.tif 000006
【図６】
0005604452.tif 000007
【図７】
0005604452.tif 000008